(57)【要約】【課題】コントローラのサイズに関わらず、ガスメータの正面側に通信機器を取り付けることができるガスメータを提供する。【解決手段】ガスメータ１は、上ケース１０と、前カバー３０と、端子蓋４０と、取付け部５０とを有する。上ケース１０は、コントローラＣを収納する。また、上ケース１０には、コントローラＣと、コントローラＣに信号を伝送する端子と、を外部に露出させる開口が形成されている。前カバー３０は、開口の一部を閉じることで、コントローラＣを覆う。端子蓋４０は、前カバー３０と共に開口を閉じることで、端子を覆う。取付け部５０は、端子蓋４０に設けられ、端子に接続されるＮＣＵ６０が取り付けられる。【選択図】図４
0003211933.tif 000002
【実用新案登録請求の範囲】
【請求項１】
コントローラを収納すると共に、前記コントローラに信号を伝送する端子と前記コントローラとを外部に露出させる開口が形成されているケースと、
前記開口の一部を閉じることで、前記コントローラを覆うカバーと、
前記カバーと共に前記開口を閉じることで、前記端子を覆う端子蓋と、
前記端子蓋に設けられ、前記端子に接続される通信機器が取り付けられる取付け部と、
を有する、ガスメータ。
【請求項２】
前記端子蓋は、樹脂からなる、請求項１に記載のガスメータ。
【請求項３】
前記カバーには、端子窓が形成され、
前記端子蓋は、前記端子窓に取り付けられている、請求項１又は２に記載のガスメータ。
【請求項４】
コントローラを収納すると共に、前記コントローラを外部に露出させる開口が形成されているケースと、
前記開口を閉じることで、前記コントローラを覆うカバーと、
前記カバーに設けられ、前記コントローラに信号を伝送する通信機器が取り付けられる取付け部と、
を有する、ガスメータ。
【請求項５】
前記カバーは、樹脂からなる、請求項４に記載のガスメータ。
【請求項６】
前記取付け部は、下方向に延出する舌下形状に構成されている、請求項１から５のいずれか一項に記載のガスメータ。
【請求項７】
コントローラを収納するケースと、
前記ケースから下方向に延出する舌下形状に構成され、前記コントローラに信号を伝送する通信機器が取り付けられる取付け部と、
を有する、ガスメータ。
【請求項８】
前記取付け部には、一つ又は二つの取付け孔が形成されている、請求項６又は７に記載のガスメータ。
【請求項９】
第１計量室及び第２計量室と、前記第１計量室と前記第２計量室とを区画する計量膜と、前記第１計量室及び前記第２計量室にガスを供給するガス経路と、を有する計測手段を有し、
前記ケースは、前記第１計量室、前記第２計量室及び前記計量膜が配置されている下ケースと、前記ガス経路が配置されている上ケースと、から構成されている、請求項１から８のいずれか一項に記載のガスメータ。
【考案の詳細な説明】
【技術分野】
【０００１】
本考案は、ガスメータに関する。
【背景技術】
【０００２】
特許文献１、２には、ＮＣＵ（Network Control Unit）、多段中継器等の通信機器が取り付けられたガスメータが開示されている。当該通信機器は、外部から、ガスメータに内蔵されているコントローラに各種設定を行ったり、コントローラの記憶手段に記憶されている情報を取得したりするために信号の送受信を中継する。
【０００３】
特許文献１、２に記載のガスメータは、ガスを計測する計測手段やコントローラを収納する上ケース及び下ケースを有する。上ケースの正面には、コントローラを外部に露出させる開口が形成されている。ユーザは、開口を通じて、ガスメータ内部へのコントローラの取付け、ガスメータ内部からのコントローラの取外し等の作業を行う。この開口は、前カバー及び端子蓋によって塞がれる。また、上ケースの正面には、通信機器を取り付けるための取付け部が設けられており、前カバー及び端子蓋は、この取付け部を覆わないように、上ケースに取り付けられている。
【先行技術文献】
【特許文献】
【０００４】
【特許文献１】意匠登録第１５３７１２６号公報
【特許文献２】特開２０１５−２３２５１２号公報
【考案の概要】
【考案が解決しようとする課題】
【０００５】
近年、ガスメータの多機能化に伴って、コントローラは大型化する傾向にある。コントローラが大型化すると、上ケースの開口も大きく形成する必要が生じる。この場合、開口の大型化に伴って、通信機器を取り付けるための取付け部を形成するスペースが、上ケースの正面に確保できず、結果として、ガスメータの正面側に、通信機器を取り付けることが難しくなる。
【０００６】
本考案は、上述の事情の下になされたもので、コントローラのサイズに関わらず、ガスメータの正面側に通信機器を取り付けることができるガスメータを提供する。
【課題を解決するための手段】
【０００７】
上述の目的を達成するために、本考案の第１の観点に係るガスメータは、
コントローラを収納すると共に、前記コントローラに信号を伝送する端子と前記コントローラとを外部に露出させる開口が形成されているケースと、
前記開口の一部を閉じることで、前記コントローラを覆うカバーと、
前記カバーと共に前記開口を閉じることで、前記端子を覆う端子蓋と、
前記端子蓋に設けられ、前記端子に接続される通信機器が取り付けられる取付け部と、
を有する。
【０００８】
前記端子蓋は、樹脂からなっていてもよい。
【０００９】
前記カバーには、端子窓が形成され、
前記端子蓋は、前記端子窓に取り付けられていてもよい。
【００１０】
本考案の第２の観点に係るガスメータは、
コントローラを収納すると共に、前記コントローラを外部に露出させる開口が形成されているケースと、
前記開口を閉じることで、前記コントローラを覆うカバーと、
前記カバーに設けられ、前記コントローラに信号を伝送する通信機器が取り付けられる取付け部と、
を有する。
【００１１】
前記カバーは、樹脂からなっていてもよい。
【００１２】
前記取付け部は、下方向に延出する舌下形状に構成されていてもよい。
【００１３】
本考案の第３の観点に係るガスメータは、
コントローラを収納するケースと、
前記ケースから下方向に延出する舌下形状に構成され、前記コントローラに信号を伝送する通信機器が取り付けられる取付け部と、
を有する。
【００１４】
前記取付け部には、一つ又は二つの取付け孔が形成されていてもよい。
【００１５】
第１計量室及び第２計量室と、前記第１計量室と前記第２計量室とを区画する計量膜と、前記第１計量室及び前記第２計量室にガスを供給するガス経路と、を有する計測手段を有し、
前記ケースは、前記第１計量室、前記第２計量室及び前記計量膜が配置されている下ケースと、前記ガス経路が配置されている上ケースと、から構成されていてもよい。
【考案の効果】
【００１６】
本考案に係るガスメータでは、コントローラのサイズに関わらず、ガスメータの正面側に通信機器を取り付けることができる。
【図面の簡単な説明】
【００１７】
【図１】本考案の実施の形態１に係るガスメータの正面図である。
【図２】前カバー及び端子蓋が取り外されたガスメータの斜視図である。
【図３】実施の形態１に係る前カバー及び端子蓋の斜視図である。
【図４】実施の形態１に係るガスメータの使用状態を説明するための正面図である。
【図５】比較例に係るガスメータの正面図である。
【図６】実施の形態１の変形例に係る前カバー及び端子蓋の斜視図である。
【図７】端子蓋が取り外された実施の形態２に係るガスメータの正面図である。
【図８】実施の形態２に係る前カバーの斜視図である。
【図９】実施の形態２に係るガスメータの使用状態を説明するための正面図である。
【図１０】実施の形態２の変形例１に係る前カバー及び端子蓋の斜視図である。
【図１１】実施の形態２の変形例２に係る前カバー及び端子蓋の斜視図である。
【図１２】実施の形態３に係るガスメータの斜視図である。
【考案を実施するための形態】
【００１８】
実施の形態１．
以下、本考案の実施の形態１に係るガスメータ１について、図１〜図５を参照して説明する。
【００１９】
図１に示すように、ガスメータ１は、本実施の形態１においては、ガス管Ｇ１、Ｇ２に接続され、内部に計量膜を有する膜式ガスメータである。ガスメータ１は、ガス管Ｇ１、Ｇ２の流れるガス流量を計測する計測機構部Ｍ、上ケース１０及び下ケース２０、前カバー３０（カバー）、端子４１を覆う端子蓋４０、取付け部５０を有する。前カバー３０の正面には、復帰ボタンＢと表示部Ｄとが配設されている。また、ガスメータ１は、図２に示すように、上記各部材に加えて、コントローラＣ、ガス経路を流れるガスの流れを遮断する遮断弁Ｖ、ガス流路内の圧力を検知する圧力センサＳ、及び内蔵電池（図示せず）を有する。
【００２０】
図１に示すように、計測機構部Ｍは、第１計量室及び第２計量室、第１計量室と第２計量室とを仕切る計量膜、バルブ、カウンター、第１計量室及び第２計量室に通じるガス経路等で構成されている。計測機構部Ｍは、バルブの動作に基づいて、第１計量室及び第２計量室に交互にガスを充填・排出させる。このガスの充填・排出に伴う計量膜の往復運動を、カウンターがカウントすることでガス管Ｇ１、Ｇ２に流れる流量を算出する。
【００２１】
図１及び図２に示すように、上ケース１０は、ガスメータ１の内蔵部品を保護する部材である。上ケース１０の内部は、コントローラＣ、遮断弁Ｖ、及び圧力センサＳ等が配置されている機械室として構成されている。上ケース１０は、本実施の形態１においては、ダイキャストから形成されている。この上ケース１０の上面には、ガス流入口１１及びガス流出口１２と、取っ手１４とが形成されている。ガス流入口１１及びガス流出口１２には、ガス管Ｇ１、Ｇ２がそれぞれ接続される。
【００２２】
図２に示すように、前カバー及び端子蓋が取り外された上ケース１０の正面には、開口１３が形成されている。コントローラＣ、遮断弁Ｖ、及び圧力センサＳ等は、この開口１３を通じて、外部に露出する。ユーザは、開口１３を通じてガスメータ１内部に内蔵部品（コントローラＣ、遮断弁Ｖ、圧力センサＳ、及び内蔵電池）の取付けの作業等を行う。
【００２３】
下ケース２０は、上ケース１０と共に、ガスメータ１の内部機構を保護する部材である。下ケース２０は、上ケース１０と同様に、例えば、ダイキャストから形成されている。下ケース２０の内部は、第１計量室、第２計量室、及び計量膜等が配置されている計測室として構成されている。この下ケース２０の上部には、ボルトやねじ等の固定手段により、上ケース１０が固定されている。下ケース２０の表面には、ガスメータ１のメーター番号等が記載される記載面２１が形成されている。
【００２４】
図３に示すように、前カバー３０は、上ケース１０の開口１３を水密に閉じることで、コントローラＣを覆う部材である。前カバー３０は、本実施形態においては、樹脂から形成されている。この前カバー３０は、４本のねじによって、開口１３を覆うように、上ケース１０にパッキンを介して取り付けられる。前カバー３０の正面には、復帰ボタンＢと表示部Ｄとを外部に露出させる貫通孔３１、３２が設けられている。また、前カバー３０の正面には、横手方向に長い端子窓３３が形成されている。端子窓３３は、コントローラＣに実装された端子を外部に露出させるための孔である。
【００２５】
端子蓋４０は、前カバー３０と共に開口１３を水密に閉じることで、端子を覆う部材である。端子蓋４０は、本実施形態においては、樹脂から形成されている。この端子蓋４０は、ねじやボルト等の固定部材４２によって、端子窓３３を覆うように、前カバー３０にパッキンを介して取り付けられる。
【００２６】
取付け部５０は、ＮＣＵ（Network Control Unit）をガスメータ１に取り付けるために用いられる。本実施形態１においては、取付け部５０は、端子蓋４０に一体に設けられている。取付け部５０は、端子蓋４０の下端から、下方向に延出する舌下形状に構成されている。取付け部５０には、ＮＣＵを固定するために用いられる２つの取付け孔５１が貫通して形成されている。
【００２７】
図２に示すように、コントローラＣは、回路基板を含んで構成されている。なお、図２においては、当該回路基板に実装されている復帰ボタンＢ、表示部Ｄ、その他の部品や端子は省略して示されている。コントローラＣは、圧力センサＳ、遮断弁Ｖ等に接続されている。コントローラＣは、ガスメータ１の各種機能を実現するためのものであり、例えば、圧力センサＳの検知結果に基づいて、遮断弁Ｖを制御する。
【００２８】
上述のように構成されているガスメータ１には、図４に示すように、ＮＣＵ６０が取り付けられる。ＮＣＵ６０は、ガスメータ１の外部から、コントローラＣに各種設定を行ったり、コントローラＣの記憶手段に記憶されている情報を取得したりするために信号の送受信を中継する。ＮＣＵ６０には、ＮＣＵ６０を取付け部５０に固定するための取付け部６１が、上端部から延設されている。取付け部６１には、２つの貫通孔６２が形成されている。この貫通孔６２と、取付け部５０の取付け孔５１とを、ねじ等の固定手段６３で相互に固定することにより、ＮＣＵ６０は、ガスメータ１に取り付けられる。ガスメータ１に取り付けられたＮＣＵ６０は、図４を参照するとわかるように、下ケース２０の正面側に配置される。
【００２９】
以上、説明したように、本実施形態１においては、端子蓋４０に、下方向に延出する舌下形状の取付け部５０が設けられている。このため、ガスメータ１の多機能化により、コントローラＣが大型化した場合であっても、ＮＣＵ６０をガスメータ１の正面側に取り付けることができる。
【００３０】
例えば、図５に示すコントローラＣのサイズが比較的小さいガスメータ１００（比較例に係るガスメータ１００）では、ＮＣＵ６０を取り付けるための取付け部５０は、上ケース１０の正面の面上に直接形成されている。近年、ガスメータ１の多機能化により、コントローラＣが大型化する傾向にある。このため、比較例に係るガスメータ１００に、大きなサイズのコントローラＣを適用した場合、図２を参照するとわかるように、上ケース１０の開口１３も大きく形成する必要が生じる。この場合、開口１３の大型化に伴って、ＮＣＵ６０を取り付けるための取付け部５０を形成するスペースを、上ケース１０の正面の面上に確保することが困難である。結果として、ＮＣＵ６０を、ガスメータの正面側に取り付けることが難しくなる。また、図５に示すように、ＮＣＵ６０は、設置されたガスメータ１００の周囲のガス配管が配置される空間と干渉するおそれがあることから、ガスメータ１００の上側空間、側面側空間、下側空間、背面側空間に配置されることは好ましくない。
【００３１】
これに対して、本実施形態１においては、図４に示すように、取付け部５０は、端子蓋４０から下方向に延出する舌下形状に形成されているため、コントローラＣが大型化した場合であっても、ＮＣＵ６０をガスメータ１の正面側に取り付けることが可能になる。ひいては、コントローラＣのサイズに関わらず、ガスメータ１の正面側に通信機器を取り付けることができる。
【００３２】
また、ガスメータ１の正面側にＮＣＵ６０を配置することができるため、ＮＣＵ６０が取り付けられたガスメータ１の幅寸法Ｗを実質的に大きくすることなく、周囲のガス配管が配置されているような狭い場所においても、ガスメータ１を設置することができる。
【００３３】
また、本実施形態１においては、取付け部５０は、容易に交換ができない上ケース１０ではなく、比較的容易に交換ができる端子蓋４０に形成されている。このため、ガスメータ１に関する作業が行いやすくなる。また、市場にガスメータ１が流通した後に取付け部５０が破損した場合であっても、端子蓋４０の交換により、ガスメータ１の修復を容易にすることができる。
【００３４】
実施の形態１の変形例．
上記実施の形態１では、取付け部５０は、下方向に延出する舌下形状に構成されている。しかしながら、これに限られない。図６に示す変形例のように、取付け部５０は、端子蓋４０の正面４０ａの面上に直接形成されていてもよい。
【００３５】
実施の形態２．
以下、本考案の実施の形態２に係るガスメータ２について、図７〜図９を参照して説明する。ガスメータ２は、取付け部５０が前カバー３０に設けられている点で、実施の形態１に係るガスメータ１と相違する。
【００３６】
図７及び図８に示すように、ガスメータ２は、ガスメータ１と同様に、上ケース１０及び下ケース２０、前カバー３０、端子蓋４０、取付け部５０を有する。上ケース１０及び下ケース２０は、ガスメータ１のものと同一のものである。
【００３７】
前カバー３０は、上ケース１０の開口１３を水密に閉じることで、コントローラＣを覆う部材である。前カバー３０は、樹脂から形成されている。
【００３８】
端子蓋４０は、前カバー３０と共に開口１３を水密に閉じることで、端子４１を覆う部材である。端子蓋４０は、樹脂から形成されている。この端子蓋４０には、ガスメータ１のものと異なり、取付け部５０が設けられていない。
【００３９】
取付け部５０は、ＮＣＵをガスメータ２に取り付けるために用いられる。本実施形態２においては、取付け部５０は、前カバー３０に一体に設けられている。取付け部５０は、前カバー３０の下端から、下方向に延出する舌下形状に構成されている。取付け部５０には、ＮＣＵを固定するために用いられる２つの取付け孔５１が貫通して形成されている。
【００４０】
上述のように構成されているガスメータ２には、図９に示すように、ＮＣＵ６０が取り付けられる。ＮＣＵ６０には、取付け部５０に固定するための取付け部６１が、上端部から延設されている。取付け部６１には、２つの貫通孔６２が形成されている。この貫通孔６２と、取付け部５０の取付け孔５１とを、ねじ等の固定手段６３で相互に固定することにより、ＮＣＵ６０は、ガスメータ２に取り付けられる。ガスメータ２に取り付けられたＮＣＵ６０は、図９を参照するとわかるように、下ケース２０の正面側に配置される。
【００４１】
以上、説明したように、本実施形態２においては、前カバー３０に、下方向に延出する舌下形状の取付け部５０が設けられている。このため、ガスメータ２の多機能化により、コントローラＣが大型化した場合であっても、実施の形態１に係るガスメータ１と同様に、ガスメータ２の正面側にＮＣＵ６０を取り付けることができる。ひいては、コントローラＣのサイズに関わらず、ガスメータ２の正面側に通信機器を取り付けることができる。
【００４２】
また、ガスメータ２の正面側にＮＣＵ６０を配置することができるため、ＮＣＵ６０が取り付けられたガスメータ２の幅寸法Ｗを実質的に大きくすることなく、周囲のガス配管が配置されているような狭い場所においても、ガスメータ２を設置することができる。
【００４３】
また、本実施の形態２においては、取付け部５０は、容易に交換ができない上ケース１０ではなく、比較的容易に交換ができる前カバー３０に形成されている。このため、ガスメータ２に関する作業が行いやすくなる。
【００４４】
また、本実施の形態２においては、市場でＮＣＵ６０に衝撃が加わった場合、上ケース１０やそれ以外の内蔵機器は破損しにくく、取付け部５０のみが破損しやすい構造を有している。この場合、取付け部５０の破損後に、前カバー３０の交換をしない場合は、ＮＣＵ６０を取り付けることはできないが、通常のガスメータ２として使用することができる。
【００４５】
実施の形態２の変形例１．
上記実施の形態２では、取付け部５０は、下方向に延出する舌下形状に構成されている。しかしながら、これに限られない。図１０に示す変形例のように、取付け部５０は、前カバー３０の正面３０ａの面上に直接形成されていてもよい。
【００４６】
実施の形態２の変形例２．
上記実施の形態２では、前カバー３０には、端子窓３３が形成されている。しかしながら、これに限られない。図１１に示すように、前カバー３０は、端子窓３３が形成されていなくてもよい。
【００４７】
以上、本考案の実施の形態について説明したが、本考案は上記実施の形態によって限定されるものではない。
【００４８】
例えば、上記実施の形態１、２では、通信機器を、ＮＣＵ６０として説明したが、通信機器は、ＮＣＵ６０以外の機器、例えば、多段中継器であってもよいし、それ以外の通信機器であってもよい。
【００４９】
また、上記実施の形態１、２では、ガスメータ１、２は、内部に計量膜を有する膜式ガスメータである。しかしながら、これに限られない。ガスメータ１、２は、膜式ガスメータ以外のものであってもよい。
【００５０】
また、上記実施の形態１、２では、取付け部５０には、二つの取付け孔５１が形成されている。しかしながら、これに限られない。取付け部５０には、一つ又は三つ以上の取付け孔５１が形成されていてもよい。
【００５１】
また、上記実施の形態１、２では、上ケース１０は、金属からなり、前カバー３０及び端子蓋４０は、樹脂からなる。しかしながら、これに限られない。前カバー３０及び端子蓋４０は、上ケース１０の素材よりも剛性の小さい素材であれば、樹脂以外の素材からなっていてもよい。
【００５２】
実施の形態３．
上記実施の形態１、２では、取付け部５０は、前カバー３０又は端子蓋４０に設けられている。しかしながら、これに限られない。図１２に示すように、実施の形態３に係るガスメータ３のように、取付け部５０は、上ケース１０から下方向に延出する舌下形状に構成されていてもよい。しかしながら、取付け部５０が破損した場合に、上ケース１０全体を交換することは容易ではないため、前カバー３０及び端子蓋４０の交換の容易さの観点からは、実施の形態１、２に係るガスメータ１、２の方が好ましい。
【００５３】
本考案は、本考案の広義の精神と範囲を逸脱することなく、様々な実施形態及び変形が可能とされるものである。上述した実施形態は、本考案を説明するためのものであり、本考案の範囲を限定するものではない。
【符号の説明】
【００５４】
１，２，３，１００：ガスメータ、１０：上ケース、１１：ガス流入口、１２：ガス流出口、１３：開口、１４：取っ手、２０：下ケース、２１：記載面、３０：前カバー（カバー）、３０ａ：正面、３１，３２：貫通孔、３３：端子窓、４０：端子蓋、４０ａ：正面、４１：端子、４２：固定部材、５０：取付け部、５１：取付け孔、６０：ＮＣＵ、６１：取付け部、６２：貫通孔、６３：固定手段、Ｍ：計測機構部、Ｇ１，Ｇ２：ガス管、Ｃ：コントローラ、Ｂ：復帰ボタン、Ｄ：表示部、Ｖ：遮断弁、Ｓ：圧力センサ、Ｗ：（ガスメータの）幅寸法。
【図１】
0003211933.tif 000003
【図２】
0003211933.tif 000004
【図３】
0003211933.tif 000005
【図４】
0003211933.tif 000006
【図５】
0003211933.tif 000007
【図６】
0003211933.tif 000008
【図７】
0003211933.tif 000009
【図８】
0003211933.tif 000010
【図９】
0003211933.tif 000011
【図１０】
0003211933.tif 000012
【図１１】
0003211933.tif 000013
【図１２】
0003211933.tif 000014